(57)【要約】【課題】  本発明は、鉄心材の粉末または粉末冶金等を成形することにより、材料の節約および渦電流等の問題を解決した安価で小型化した内燃機関用点火コイルを提供することを目的とする。【解決手段】  第１鉄心は、珪素鋼板を積層して構成され、コイルを巻回保持する筒状の前記ボビンの内部を磁束が通過する。第２鉄心および第３鉄心は、前記第１鉄心の積み重ね方向に対向させて配置され、前記第１鉄心との間に閉磁路を構成する。また、前記第２鉄心および第３鉄心は、鉄心材の粉末がほぼ半球状に成形されている。本発明は、粉末の鉄心材を成形してほぼ半球状にしたため、打ち抜き代が無くなり、材料の歩留り性を向上させると同時に小型化が可能になった。【選択図】    図１
2005142393.tif 000002
【特許請求の範囲】
【請求項１】
ボビンに巻回されている一次コイルおよび二次コイルと、
前記一次コイルおよび二次コイルを磁気的に結合させる第１鉄心ないし第３鉄心と、
前記一次コイルおよび二次コイルと、前記鉄心を収納するケースと、
から構成される内燃機関用点火コイルにおいて、
前記コイルを巻回保持する筒状の前記ボビンの内部を磁束が通過する第１鉄心と、
前記第１鉄心の積み重ね方向に対向させて配置し、前記第１鉄心との間に閉磁路を構成する鉄心材の粉末を固めたほぼ半球状の第２鉄心および第３鉄心と、    を少なくとも備えていることを特徴とする内燃機関用点火コイル。
【請求項２】
前記ほぼ半球状の第２鉄心および第３鉄心は、前記ボビンの外形より大きく、かつ、前記ボビンの形状にほぼ沿っていることを特徴とする請求項１に記載された内燃機関用点火コイル。
【請求項３】
前記鉄心を収納するケースの一部を構成する形状は、前記ほぼ半球状の第２鉄心または第３鉄心の形状に沿っていることを特徴とする請求項１または請求項２に記載された内燃機関用点火コイル。
【請求項４】
前記ほぼ半球状の第２鉄心および第３鉄心は、互いに対向する位置と反対側に開口部を備えていることを特徴とする請求項１ないし請求項３のいずれか１項に記載された内燃機関用点火コイル。
【請求項５】
前記第２鉄心および第３鉄心を磁束が通る断面積の合計は、第１鉄心の磁束が通る断面積とほぼ同じであることを特徴とする請求項１ないし請求項４のいずれか１項に記載された内燃機関用点火コイル。
【発明の詳細な説明】
【技術分野】
【０００１】
本発明は、自動車エンジン等の内燃機関の火花プラグにおいて、火花放電を発生させるために高電圧を供給する内燃機関用点火コイルに関するものである。特に、本発明は、内燃機関用点火コイルにおける第２鉄心および第３鉄心の形状と、鉄心材の成形に関するものである。
【背景技術】
【０００２】
図６は従来の内燃機関用点火コイルを説明するための上面図である。図７は従来の内燃機関用点火コイルを説明するための正面図である。図６および図７において、図示されていない、一次コイルおよび二次コイルが巻回されているボビン６３の内部に第１鉄心６１が、前記ボビン６３の周囲に第２鉄心６２が図に示すように組み立てられている。また、ケース６４は、前記第１鉄心６１および第２鉄心６２と、前記コイルが巻回されたボビン６３が収納され、下部に点火部６５が設けられている。
【０００３】
図８は従来の内燃機関用点火コイルに使用される第１鉄心および第２鉄心を説明するための図である。図８に示す例は、特願平１１−９６２０４号に記載された発明である。前記発明における、珪素鋼板からなるフープ材８１は、ほぼ円形からなる第２鉄心６２と、その内部に短冊状の第１鉄心６１がそれぞれ連続的に打ち抜かれる。前記のような鉄心の製造方法は、図８に示すように、フープ材８１は、環状の第２鉄心６２と短冊状の第１鉄心６１のみしか利用できないため、フープ材８１の斜線の部分が打ち抜き代となり、この部分が無駄になる。
【０００４】
前記フープ材８１として、方向性珪素鋼板を使用する場合、打ち抜かれた鉄心は、ロール方向と異なる方向での磁気抵抗が大きく、ロール方向と異なる方向との磁気抵抗の差を少なくするために、幅をロール方向より大きくする必要がある。この場合、鉄心は、形状が大きくなり、珪素鋼板の使用量も多く、廃材も多く発生させた。
【０００５】
図９は他の従来の内燃機関用点火コイルに使用される鉄心の打ち抜き例を説明するための図である。図１０は図９に示す打ち抜き鉄心を使用した内燃機関用点火コイルを説明するための図である。図９および図１０は、特願平１１−９６２０６号に記載された内燃機関用点火コイルの例である。図９および図１０の例は、複数の部材６２′を接合することにより環状に形成されている。
【０００６】
図９および図１０の例は、図８に示す例と比較すると、無駄となる鉄心打ち抜き代が小さくなるが、図１０に示すように、フープ材のロール方向になるように鉄心を分割して組み立てている。しかし、前記例は、組み立て部の形状が複雑となり、打ち抜き代も小さくならず、珪素鋼板の使用量および廃材の量が多い。
【０００７】
図１１は別の従来例であり、内燃機関用点火コイルに使用される鉄心の例を説明するための図である。図１１に示された例は、特願平１１−１２６６４０号に記載された内燃機関用点火コイルに使用される鉄心である。前記鉄心は、所定の幅の珪素鋼板からなるフープ材を所定の形状に巻回しているため、打ち抜き代が無くなり、ほとんど無駄がない。
【０００８】
しかし、前記フープ材を巻回した鉄心は、第１鉄心１１１と第２鉄心１１２の接合部に磁束が流れると、第２鉄心１１２に渦電流が多く発生するため、打ち抜き溝１１３を設けることにより、前記渦電流損を減少させている。前記打ち抜き溝１１３を設けることは、有効断面積を減少させ、その分鉄心を大きくする必要があった。
【０００９】
【特許文献１】特願平１１−９６２０４号
【特許文献２】特願平１１−９６２０６号
【特許文献３】特願平１１−１２６６４０号
【発明の開示】
【発明が解決しようとする課題】
【００１０】
前記フープ材を打ち抜いて作製された鉄心、あるいは磁気抵抗を考慮した鉄心は、打ち抜き代や使用量が多く、珪素鋼板の無駄が多いという問題があった。また、前記フープ材の無駄を無くすために、鉄心を分割して打ち抜いた後、組みたてる方式は、組み立て部の形状が複雑で、珪素鋼板の使用量が必ずしも少なくないという問題があった。さらに、所定の幅のフープ材を巻回した鉄心は、渦電流の問題が発生し、その対策が必要であるという問題があった。
【００１１】
本発明は、以上のような課題を解決するためのものであり、鉄心材の粉末または粉末冶金等を成形することにより、材料の節約および渦電流等の問題を解決した安価で小型化した内燃機関用点火コイルを提供することを目的とする。
【課題を解決するための手段】
【００１２】
（第１発明）
第１発明の内燃機関用点火コイルは、ボビンに巻回されている一次コイルおよび二次コイルと、前記一次コイルおよび二次コイルを磁気的に結合させる第１鉄心ないし第３鉄心と、前記一次コイルおよび二次コイルと、前記鉄心を収納するケースと、から構成されており、前記コイルを巻回保持する筒状の前記ボビンの内部を磁束が通過する第１鉄心と、前記第１鉄心の積み重ね方向に対向させて配置し、前記第１鉄心との間に閉磁路を構成する鉄心材の粉末を固めたほぼ半球状の第２鉄心および第３鉄心と、を少なくとも備えていることを特徴とする。
【００１３】
（第２発明）
第２発明の内燃機関用点火コイルにおいて、ほぼ半球状の第２鉄心および第３鉄心は、ボビンの外形より大きく、かつ、前記ボビンの形状にほぼ沿っていることを特徴とする。
【００１４】
（第３発明）
第３発明の内燃機関用点火コイルにおいて、鉄心を収納するケースの一部を構成する形状は、ほぼ半球状の第２鉄心または第３鉄心の形状に沿っていることを特徴とする。
【００１５】
（第４発明）
第４発明の内燃機関用点火コイルにおいて、ほぼ半球状の第２鉄心および第３鉄心は、互いに対向する位置と反対側に開口部を備えていることを特徴とする。
【００１６】
（第５発明）
第５発明の内燃機関用点火コイルにおいて、第２鉄心および第３鉄心を磁束が通る断面積の合計は、第１鉄心の磁束が通る断面積とほぼ同じであることを特徴とする。
【発明の効果】
【００１７】
本発明によれば、鉄心材を粉末にしてほぼ半球状に成形した鉄心であるため、材料に無駄がなく、渦電流等の問題を解決するとともに、小型化することができる安価な内燃機関用点火コイルを得ることができるようになった。
【００１８】
本発明によれば、ほぼ半球状に成形した鉄心であるため、材料に無駄がないだけでなく、所望の特性とすることが容易であり、小型化および安価な内燃機関用点火コイルを得ることができるようになった。
【発明を実施するための最良の形態】
【００１９】
（第１発明）
第１発明の内燃機関用点火コイルは、少なくともボビンに巻回されている一次コイルおよび二次コイルと、前記一次コイルおよび二次コイルを磁気的に結合させる第１鉄心ないし第３鉄心と、前記一次コイルおよび二次コイルと、前記各鉄心を収納するケースとから構成される。
【００２０】
前記第１鉄心は、たとえば、珪素鋼板を積層して構成され、前記コイルを巻回保持する筒状の前記ボビンの内部を磁束が通過する。第２鉄心および第３鉄心は、前記第１鉄心の積み重ね方向に対向させて配置され、前記第１鉄心との間に閉磁路を構成する。また、前記第２鉄心および第３鉄心は、鉄心材の粉末に、たとえば、樹脂を混ぜて、成形型に入れて固め、ほぼ半球状に成形されている。
【００２１】
第１発明は、粉末の鉄心材を成形してほぼ半球状にしたため、打ち抜き代が無くなり、材料の歩留り性を向上させると同時に小型化が可能になった。
【００２２】
（第２発明）
第２発明における前記ほぼ半球状の第２鉄心および第３鉄心の形状は、コイルが巻回されたボビンを入れるため、前記ボビンの外形より大きく、かつ、全体として小型化するために、前記ボビンの形状にほぼ沿っている。
【００２３】
（第３発明）
第３発明において、鉄心等を収納するケースの形状は、内燃機関用点火コイルのプラグ側に配置されたほぼ半球状の鉄心に沿うようにしている。前記形状は、内燃機関用点火コイル全体の形状を小型化することができる。
【００２４】
（第４発明）
第４発明は、ほぼ半球状の第２鉄心および第３鉄心を互いに対向する位置と反対側に、配線を導出する開口部を備えている。
【００２５】
（第５発明）
第５発明は、第２鉄心および第３鉄心を磁束が通る断面積の合計を第１鉄心の磁束が通る断面積とほぼ同じにすることにより、第２鉄心および第３鉄心の厚さを薄く、小型化を図ることができる。
【実施例１】
【００２６】
図１は本発明の一実施例である内燃機関用点火コイルにおける第２鉄心および第３鉄心を説明するための斜視図である。図２は本発明の一実施例である内燃機関用点火コイルにおける第２鉄心と第３鉄心を組み立てた状態を説明するための図である。図３は本発明の一実施例である内燃機関用点火コイルにおける第２鉄心および第３鉄心とコイルボビンとの関係を説明するための平面図である。図４は本発明の一実施例である内燃機関用点火コイルにおける第１鉄心、第２鉄心、および第３鉄心の正面図である。図５は本発明の一実施例で、図３のＢ−Ｂ断面図である。
【００２７】
図１において、第１鉄心１１は、積層された短冊状の珪素鋼板からなる。前記短冊状の第１鉄心１１は、プレスによる打ち抜きで得られるが、形状が短冊状であるため、打ち抜き代が無い。第２鉄心１２および第３鉄心１３は、その形状がほぼ半球状であり、前記第１鉄心１１と図示されていないボビン等を互いに対向するように包囲する。
【００２８】
前記ほぼ半球状の第２鉄心１２および第３鉄心１３は、内部に挿入されるボビンに一部が沿った形状であり、それぞれの頂部にコイル端部の配線を導出する開口１２１、１３１が設けられている。さらに、前記ほぼ半球状の第２鉄心１２および第３鉄心１３は、鉄心材の粉末を型に入れ、樹脂等のバインダーとともに固められる。
【００２９】
前記鉄心は、粉末冶金のように鉄心材を焼結して作製することもできる。このような鉄心は、形状を成形型により任意にできるだけでなく、内燃機関用点火コイルの特性を考慮したものが作製でき、歩留り性が良い。
【００３０】
図２および図３から判るように、ほぼ半球状の鉄心は、ボビン１４およびケース１５にできるだけ沿うように成形されるため、小型化が可能であるだけでなく、鉄心材料を少なくすることができ、安価な内燃機関用点火コイルが得られる。
【００３１】
図２において、第２鉄心１２と第３鉄心１３は、これらの中に、第１鉄心１１およびコイルボビン等を挿入した後、互いに対向するように組み立てられる。前記コイルの端部の配線は、前記開口１２１および１３１から導出される。第２鉄心１２および第３鉄心１３の対向面（接合面）は、磁束の流れる方向と同じであるため、この部分に発生する空隙が磁束の流れに与える影響はすくない。
【００３２】
図５における、図３のＢ−Ｂ断面において判るように、第２鉄心１２および第３鉄心１３を磁束が通る断面積の合計は、第１鉄心１１の磁束が通る断面積とほぼ同じ程度必要である。しかし、本実施例は、第２鉄心１２および第３鉄心１３の磁束が通る断面積を第１鉄心１１の積層方向に大きくすることにより、第１鉄心１１と同程度の断面積を確保しつつ、第１鉄心１１の積層方向と直角方向の第２鉄心１２および第３鉄心１３の厚みを小さくできる。
【００３３】
また、第２鉄心１２および第３鉄心１３は、その内側の形状をボビンの外形に沿わせることにより、スペースを有効利用できるため小型軽量化が可能になった。
【産業上の利用可能性】
【００３４】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の第２鉄心および第３鉄心の形状は、ほぼ半球状であれば、図示と同じ形状、および真の半球に限定されない。
【図面の簡単な説明】
【００３５】
【図１】本発明の一実施例である内燃機関用点火コイルにおける第２鉄心および第３鉄心を説明するための斜視図である。（実施例１）
【図２】本発明の一実施例である内燃機関用点火コイルにおける第２鉄心と第３鉄心を組み立てた状態を説明するための図である。
【図３】本発明の一実施例である内燃機関用点火コイルにおける第２鉄心および第３鉄心とコイルボビンとの関係を説明するための平面図である。
【図４】本発明の一実施例である内燃機関用点火コイルにおける第１鉄心、第２鉄心、および第３鉄心の正面図である。
【図５】本発明の一実施例で、図３のＢ−Ｂ断面図である。
【図６】従来の内燃機関用点火コイルを説明するための上面図である。
【図７】従来の内燃機関用点火コイルを説明するための正面図である。
【図８】従来の内燃機関用点火コイルに使用される第１鉄心および第２鉄心を説明するための図である。
【図９】他の従来の内燃機関用点火コイルに使用される鉄心の打ち抜き例を説明するための図である。
【図１０】図９に示す打ち抜き鉄心を使用した内燃機関用点火コイルを説明するための図である。
【図１１】別の従来例であり、内燃機関用点火コイルに使用される鉄心の例を説明するための図である。
【符号の説明】
【００３６】
１１・・・第１鉄心
１２・・・第２鉄心
１２１・・・開口
１３・・・第３鉄心
１３１・・・開口
１４・・・ボビン
１５・・・ケース
１６・・・点火部
【図１】
2005142393.tif 000003
【図２】
2005142393.tif 000004
【図３】
2005142393.tif 000005
【図４】
2005142393.tif 000006
【図５】
2005142393.tif 000007
【図６】
2005142393.tif 000008
【図７】
2005142393.tif 000009
【図８】
2005142393.tif 000010
【図９】
2005142393.tif 000011
【図１０】
2005142393.tif 000012
【図１１】
2005142393.tif 000013